【手続補正書】
【提出日】平成15年11月5日(2003.11.5)
【手続補正１】
【補正対象書類名】明細書
【補正対象項目名】発明の名称
【補正方法】変更
【補正の内容】
【発明の名称】画像形成装置


【手続補正２】
【補正対象書類名】明細書
【補正対象項目名】特許請求の範囲
【補正方法】変更
【補正の内容】
【特許請求の範囲】
【請求項１】
画像データに応じた画像形成を行う画像形成装置において、
保守作業又は交換作業の対象となる対象物を覆う開閉自在な複数のカバーと、
前記カバー又はそのカバーに対応する位置にそれぞれ設けられて保守作業又は交換作業の対象となる前記対象物を覆っている前記カバーを指示する表示部と、
前記対象物が保守作業又は交換作業を必要とすることを検知する検知手段と、
前記検知手段による検知結果に応じて前記表示部に必要な表示を行わせる表示手段と、
を有することを特徴とする画像形成装置。
【請求項２】
画像データに応じた画像形成を行う画像形成装置において、
保守作業又は交換作業の対象となる対象物と、
前記対象物又はその対象物に対応する位置にそれぞれ設けられてその対象物を指示する表示部と、
前記対象物を覆う開閉自在なカバーと、
前記カバー又はそのカバーに対応する位置にそれぞれ設けられて保守作業又は交換作業の対象となる前記対象物を覆っている前記カバーを指示する表示部と、
前記対象物が保守作業又は交換作業を必要とすることを検知する検知手段と、
前記検知手段による検知結果に応じて、保守作業又は交換作業の対象となる前記対象物を指示する前記表示部と保守作業又は交換作業の対象となる前記対象物を覆っている前記カバーを指示する前記表示部とに必要な表示を行わせる表示手段と、
を有することを特徴とする画像形成装置。
【請求項３】
前記対象物を複数有することを特徴とする請求項１又は２記載の画像形成装置。
【請求項４】
前記カバーの少なくとも一つが２以上の前記対象物を覆っていることを特徴とする請求項１ないし３のいずれか一記載の画像形成装置。
【請求項５】
２以上の前記カバーが次々に開放操作される位置に配置されていることを特徴とする請求項１ないし４のいずれか一記載の画像形成装置。
【請求項６】
前記表示部が発光体であることを特徴とする請求項１ないし５のいずれか一記載の画像形成装置。
【請求項７】
発光光源と、
前記発光光源から出射された光を前記発光体に伝達する光伝達手段と、
を有することを特徴とする請求項６記載の画像形成装置。
【手続補正３】
【補正対象書類名】明細書
【補正対象項目名】０００１
【補正方法】変更
【補正の内容】
【０００１】
【発明の属する技術分野】
本発明は、プリンタや複写機等の画像形成装置に関する。


【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
【課題を解決するための手段】
請求項１記載の発明は、画像データに応じた画像形成を行う画像形成装置において、保守作業又は交換作業の対象となる対象物を覆う開閉自在な複数のカバーと、前記カバー又はそのカバーに対応する位置にそれぞれ設けられて保守作業又は交換作業の対象となる前記対象物を覆っている前記カバーを指示する表示部と、前記対象物が保守作業又は交換作業を必要とすることを検知する検知手段と、前記検知手段による検知結果に応じて前記表示部に必要な表示を行わせる表示手段と、を有することを特徴とする。


【手続補正７】
【補正対象書類名】明細書
【補正対象項目名】００１３
【補正方法】変更
【補正の内容】
【００１３】
請求項２記載の発明は、画像データに応じた画像形成を行う画像形成装置において、保守作業又は交換作業の対象となる対象物と、前記対象物又はその対象物に対応する位置にそれぞれ設けられてその対象物を指示する表示部と、前記対象物を覆う開閉自在なカバーと、前記カバー又はそのカバーに対応する位置にそれぞれ設けられて保守作業又は交換作業の対象となる前記対象物を覆っている前記カバーを指示する表示部と、前記対象物が保守作業又は交換作業を必要とすることを検知する検知手段と、前記検知手段による検知結果に応じて、保守作業又は交換作業の対象となる前記対象物を指示する前記表示部と保守作業又は交換作業の対象となる前記対象物を覆っている前記カバーを指示する前記表示部とに必要な表示を行わせる表示手段と、を有することを特徴とする。


【手続補正８】
【補正対象書類名】明細書
【補正対象項目名】００１５
【補正方法】変更
【補正の内容】
【００１５】
請求項３記載の発明は、請求項１又は２記載の画像形成装置において、前記対象物を複数有することを特徴とする。


【手続補正９】
【補正対象書類名】明細書
【補正対象項目名】００１７
【補正方法】変更
【補正の内容】
【００１７】
請求項４記載の発明は、請求項１ないし３のいずれか一記載の画像形成装置において、前記カバーの少なくとも一つが２以上の前記対象物を覆っていることを特徴とする。


【手続補正１０】
【補正対象書類名】明細書
【補正対象項目名】００１９
【補正方法】変更
【補正の内容】
【００１９】
請求項５記載の発明は、請求項１ないし４のいずれか一記載の画像形成装置において、２以上の前記カバーが次々に開放操作される位置に配置されていることを特徴とする。


【手続補正１１】
【補正対象書類名】明細書
【補正対象項目名】００２３
【補正方法】変更
【補正の内容】
【００２３】
請求項６記載の発明は、請求項１ないし５のいずれか一記載の画像形成装置において、前記表示部が発光体であることを特徴とする。


【手続補正１２】
【補正対象書類名】明細書
【補正対象項目名】００２５
【補正方法】変更
【補正の内容】
【００２５】
請求項７記載の発明は、請求項６記載の画像形成装置において、発光光源と、前記発光光源から出射された光を前記発光体に伝達する光伝達手段と、を有することを特徴とする。


【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】０１０１
【補正方法】削除
【補正の内容】
【手続補正１６】
【補正対象書類名】明細書
【補正対象項目名】０１０２
【補正方法】変更
【補正の内容】
【０１０２】
【発明の効果】
請求項１記載の発明の画像形成装置によれば、開閉自在なカバーに覆われている或る対象物について保守作業又は交換作業が必要になったことが検知手段により検知された場合には、その対象物を覆うカバー又はそのカバーに対応する位置に設けられてそのカバーを指示する表示部において、必要な表示が表示手段により行われるので、ユーザーは保守作業又は交換作業を行うべき対象物を覆っているカバーがどれであるかを容易に確認することができ、ユーザーはそのカバーを開放することによりその対象物についての保守作業又は交換作業を速やかに行うことができる。


【手続補正１７】
【補正対象書類名】明細書
【補正対象項目名】０１０３
【補正方法】変更
【補正の内容】
【０１０３】
請求項２記載の発明の画像形成装置によれば、開閉自在なカバーに覆われている或る対象物について保守作業又は交換作業が必要になったことが検知手段により検知された場合には、その対象物又はその対象物に対応する位置に設けられてその対象物を指示する表示部と、その対象物を覆うカバー又はそのカバーに対応する位置に設けられてそのカバーを指示する表示部とにおいて、必要な表示が表示手段により行われるので、ユーザーは、保守作業又は交換作業を行うべき対象物がどれであるか、及び、その対象物を覆っているカバーがどれであるかを容易に確認することができ、ユーザーはそのカバーの開放、及び、そのカバーに覆われている対象物についての保守作業又は交換作業を速やかに行うことができる。


【手続補正１８】
【補正対象書類名】明細書
【補正対象項目名】０１０４
【補正方法】変更
【補正の内容】
【０１０４】
請求項３記載の発明によれば、請求項１又は２記載の画像形成装置において、前記対象物を複数有することを特徴とするので、ユーザーは複数の対象物のなかから保守作業又は交換作業の対象となる対象物がどれであるかを容易に認識することができ、その対象物についての保守作業又は交換作業を速やかに行うことができる。


【手続補正１９】
【補正対象書類名】明細書
【補正対象項目名】０１０５
【補正方法】変更
【補正の内容】
【０１０５】
請求項４記載の発明によれば、請求項１ないし３のいずれか一記載の画像形成装置において、前記カバーの少なくとも一つが２以上の前記対象物を覆っていることを特徴とするので、１つのカバーを２以上の対象物を覆うカバーとして共有化することができ、カバーの数を減らすことができるとともに、カバー又はそのカバーに対応する位置に設ける表示部の数を減らすことができ、構造の簡略化を図ることができる。


【手続補正２０】
【補正対象書類名】明細書
【補正対象項目名】０１０６
【補正方法】変更
【補正の内容】
【０１０６】
請求項５記載の発明によれば、請求項１ないし４のいずれか一記載の画像形成装置において、２以上の前記カバーが次々に開放操作される位置に配置されていることを特徴とするので、２以上のカバーに覆われている或る対象物について保守作業又は交換作業が必要になったことが検知手段により検知された場合には、その対象物を覆うカバー又はそのカバーに対応する位置に設けられた表示部において必要な表示が行われるので、ユーザーは表示部の表示により指示されたそれらのカバーを次々と開放することにより、或る対象物についての保守作業又は交換作業を速やかに行うことができる。


【手続補正２１】
【補正対象書類名】明細書
【補正対象項目名】０１０７
【補正方法】変更
【補正の内容】
【０１０７】
請求項６記載の発明によれば、請求項１ないし５のいずれか一記載の画像形成装置において、前記表示部が発光体であることを特徴とするので、或る対象物について保守作業又は交換作業を必要とすることが検知された場合には、保守作業又は交換作業を必要とする対象物を指示する表示部である発光体、又は、保守作業又は交換作業を必要とする対象物を覆っているカバーを指示する表示部である発光体が発光するので、保守作業又は交換作業を行うべき対象物がどれであるか、又は、保守作業又は交換作業を行うべき対象物を覆っているカバーがどれであるかを視覚により容易に認識することができ、ユーザーはその対象物についての保守作業又は交換作業を速やかに行うことができる。


【手続補正２２】
【補正対象書類名】明細書
【補正対象項目名】０１０８
【補正方法】変更
【補正の内容】
【０１０８】
請求項７記載の発明によれば、請求項６記載の画像形成装置において、発光光源と、前記発光光源から出射された光を前記発光体に伝達する光伝達手段と、を有することを特徴とするので、発光光源から出射された光を光伝達手段により発光体まで伝達することにより発光体を発光させることができる。


【手続補正２３】
【補正対象書類名】明細書
【補正対象項目名】０１０９
【補正方法】削除
【補正の内容】